(57)【特許請求の範囲】
【請求項１】
容器本体１と、袴部材３と、固形物保持体４と、固形物５と、螺状棒６により構成される固形物繰出容器において、容器本体１の端部には回動阻止部材２が取り付けられ、袴部材３には回動阻止部材２が勘合する勘合溝７が形成されており、回動阻止部材２と勘合溝７が勘合することにより袴部材３が回動せず固形物５が突出するのを防止する回動阻止部材付き固形物繰出容器であり、前記の回動阻止部材２が、付勢されたばね８の力により袴部材３の勘合溝７と勘合することにより袴部材３の回動を防止するように構成されたことを特徴とする回動阻止部材付き固形物繰出容器。
【発明の詳細な説明】
【技術分野】
【０００１】
本願発明は、容器本体端部に備えた袴部材を回転させて、容器本体内に収納されているリップクリーム等の固形物を突出自在に繰出す方式の固形物繰出容器に関し、特に上記袴部材が不用意に回転し固形物が突出するのを防止する回動阻止部材付き固形物繰出容器に関するものである。
【背景技術】
【０００２】
前記固形物繰出容器は、容器本体、該容器端に設けられた、回動及び移動可能とした袴部材、袴部材に結合された螺線部材と、該軸体と螺合する固形物保持体と、前記袴部材を回転させることによって、固形物保持体を上下運動させることができる固形物繰出容器において、固形物繰出容器の輸送中もしくは保管中に容器本体と袴部材の両方に他の物体が接触し、容器本体と該袴部材とが相対的に回動せしめられ、不用意に前記固形物保持体が移動し、固形物保持体に保持された保持体が容器本体から突出してしまうという課題があった。
【０００３】
例えば引例１の特開２００８―１３７２８９では、袴部材の回転防止部材がなく、前記課題が解決できない。
【０００４】
また引例２の特開２００７−１７５２８５では、固形物繰出容器使用時において、袴部材の容器の押すことによって袴部材の回動を抑制せしめることができる容器が開示されている。しかしながらこの構成では、使用時の袴部材の回動を抑制するものであり、輸送時もしくは保管時における前記課題を解決するには至っていない。
【０００５】
また引例３の特開２０１１−５１５９３では、固形物保持体の移動方向を容器本体から固形物が突出する方向に限定し、固形物保持体の上下運動を抑制した固形物収納容器が開示されている。しかしながら、固形物が突出してしまうため、前記課題を解決するに至っていない。
【０００６】
また引例４の特開２００８−９９９２７では、輸送時の固形物保持体（皿部材）の上下動を抑制する固形物繰出容器が開示されている。しかしながらこの発明では、固形物保持体の可動をその可動ストローク端でのみ抑制するため、様々な位置での固形物保持体の可動の抑制が不可能である。そのため、利便性の点で課題がある。
【０００７】
また引例５の特開２００２−８６９８９では、溶融充鎮する際の空気の逃げ道を確保し、固形物の崩れ等を防止すると共に、優れた塗布性能を実現することができる固形物繰出容器が開示されている。しかしながら、使用時の固形物の崩れ等を防止するものであり、保管時には適応されないという問題がある。
【０００８】
更にまた引例６の実開平６−０２３７９１では、容器本体もしくは袴部材に他の物体が接触することがなきようカバー部材を追加することによって、容器本体と袴部材との相対的な回動運動を抑制する発明が開示されている。しかしながら、容器本体を覆うためのカバー部材が必要であり、コストの面で課題がある。
【先行技術文献】
【特許文献】
【０００９】
【特許文献１】特開２００８―１３７２８９
【特許文献２】特開２００７−１７５２８５
【特許文献３】特開２０１１−５１５９３
【特許文献４】特開２００８−９９９２７
【特許文献５】特開２００２−８６９８９
【特許文献６】実開平６−０２３７９１
【発明の概要】
【発明が解決しようとする課題】
【００１０】
上述の従来技術に係る固形物繰出容器が有する諸課題を解決するために本願発明は、固形物繰出容器の輸送中もしくは保管中に容器本体と袴部材の両方に他の物体が接触し、容器本体と該袴部材とが相対的に回動せしめられ、不用意に固形物保持体が移動し、固形物保持体に保持された保持体が容器本体から突出してしまうことを防ぐ固形物繰出容器を提供することを目的とする。
【課題を解決するための手段】
【００１１】
容器本体１と、袴部材３と、固形物保持体４と、固形物５と、螺状棒６により構成される固形物繰出容器において、容器本体１の端部には回動阻止部材２が取り付けられ、袴部材３には回動阻止部材２が勘合する勘合溝７が形成されており、回動阻止部材２と勘合溝７が勘合することにより袴部材３が回動せず固形物５が突出するのを防止する回動阻止部材付き固形物繰出容器を開示する。
【００１２】
このように構成した固形物繰出容器では、従来の固形物繰出容器のように輸送中もしくは保管中に容器本体と袴部材の両方に他の物体が接触し、容器本体と該袴部材とが相対的に回動せしめられようとしても、前記回動阻止部材によって袴部材の回転が阻止され、固形物保持体が移動することがなく、固形物保持体に保持された固形物が容器本体から突出することを阻止することが可能である。
【００１３】
更に本願発明に係る固形物繰出容器では、回動阻止部材２が、付勢されたばね８の力により袴部材３の勘合溝７と勘合することにより袴部材３の回動を防止するように構成されたことを特徴とする請求項１記載の回動阻止部材付き固形物繰出容器を開示する。
【００１４】
このように構成された固形物繰出容器では、回動阻止部材の閉め忘れを防止することが可能である。
【図面の簡単な説明】
【００１５】
【図１】本願発明の第１実施例に係る固形物繰出容器の保管時もしくは輸送時の線Ａ−Ａにおける断面図であり、回動阻止部材が勘合溝に勘合している状態の断面図である。
【図２】第１実施例の回動阻止部材が勘合溝に勘合していない状態の線Ａ−Ａにおける断面図である。
【図３】第１実施例の固形物保持体と固形物を図面上方向に移動させた状態の線Ａ−Ａにおける断面図である。
【図４】第１実施例の使用後の保管時もしくは輸送時の線Ａ−Ａにおける断面図である。
【図５】本願発明の第１実施例に係る固形物繰出容器の保管時もしくは輸送時におけて、回動阻止部材が勘合溝に勘合している状態の斜視図である。
【図６】第１実施例の回動阻止部材が勘合溝に勘合していない状態の斜視図である。
【図７】本願発明の第２実施例に係る固形物繰出容器の保管時の線Ａ−Ａにおける断面図である。
【図８】第２実施例の回動阻止解除時の線Ａ−Ａにおける断面図である。
【発明を実施するための形態】
【００１６】
以下、図面に示す実施例により本願発明を詳細に説明する。図１は、本願発明の第１実施例に係る固形物繰出容器の保管時もしくは輸送時の線Ａ−Ａにおける断面図である。この固形物繰出容器は、容器本体１、回動阻止部材２、袴部材３、固形物保持体４、固形物５、及び螺状棒６により構成されている。容器本体１の端部に回動阻止部材２が取り付けられ、袴部材３には回動阻止部材２が勘合する勘合溝７が形成されている。
【００１７】
この場合、回動阻止部材２は本体容器１と袴部材３が勘合するように配置させている為、袴部材３が回動できないようになっている。
【００１８】
図２は、回動阻止部材２が上方向に移動し、前記回動阻止部材２が袴部材３の勘合溝７に勘合していない場合の線Ａ−Ａにおける断面図である。この場合、回動阻止部材２は、外力によって自由に袴部材３を回動せしめ容器本体１に対して固形物保持体４の上下運動を許容し、かつ回動運動を不可とし、容器本体１と袴部材３の螺状棒６によって保持された固形物保持体４に対して前記螺状棒６が回転し、固形物保持体４とそれに保持された固形物５を上下運動させることができる構造となっている。
【００１９】
図３は、上記実施例１における回動阻止部材２を勘合溝７と勘合させていない状態において、袴部材３の回動を許容し、固形物保持体４と固形物５を図面上方向への移動を許容させた状態を示している。この状態で固形物５が容器本体１から突出され、固形物５を使用可能となる。一方、図４は固形物５を消費した後の保管時もしくは輸送時の状態であり、回動阻止部材２を勘合溝に移動させ、前記回動阻止部材２を勘合溝７に勘合させることで、袴部材３の回動を阻止している状態である。この状態では、袴部材３と容器本体１の相対的な回動を阻止し、固形物保持体４の上下運動を阻止し、固形物５の突出を阻止できる。
【００２０】
図５は、輸送時または保管時の固形物繰出容器の線Ａ−Ａにおける外観図を示している。前述のように、輸送時または保管時において、回動阻止部材２が勘合溝７と勘合せしめることで、袴部材３の回動を阻止する。一方、図６は、回動阻止部材２を図面上方向に移動させ、回動阻止部材２が勘合溝７と勘合していない状態であり、この状態では外力によって、袴部材３を容器本体１に対して回動せしめることが可能である。
【００２１】
図７は、本願発明の第２実施例に係る固形物繰出容器の保管時の線Ａ−Ａにおける断面図である。この固形物も第１実施例同様に、容器本体１、回動阻止部材２、袴部材３、固形物保持体４、固形物５、螺状棒６により構成されている。ただしこの第２実施例では実施例１とは異なり、回動阻止部材２に板ばね状の物体８が前記回転阻止部材２に形成されている。図７状態は回動阻止部材２を図面上方向に移動させた状態である。この状態では、前記板ばね８が下方向に付勢されているため、容器本体１に対して回動阻止部材２を下方向に移動させる力が発生する。この状態で、袴部材３と容器本体１が相対的に回転せしめられ、前記袴部材３の勘合溝７が回動阻止部材２と一致した場合、外力を用いることなく、前記板ばね８の復元力のみによって回動阻止部材２が勘合溝７に勘合する。
【００２２】
図８は第２実施例において、回動阻止部材２と袴部材３の勘合溝７が勘合した状態をしめしており、第１実施例と同様に、この状態では、容器本体１に対する袴部材３の回動が阻止され、固形物保持体４の上下運動を阻止し、固形物５が容器本体１から突出することを阻止している。
【産業上の利用可能性】
【００２３】
本願発明に係る固形物繰出容器は、リップクリーム、スティックノリ等の繰出容器を製造する分野で利用可能であり、回動阻止部材２よって袴部材３の回転が阻止され、固形物保持体４が不用意に移動することがなく、固形物保持体４に保持された固形物５が容器本体１から突出することを阻止することが可能である。
【符号の説明】
【００２４】
１        容器本体
２        回動阻止部材
３        袴部材
４        固形物保持体
５        固形物
６        螺状棒
７        勘合溝
８        板ばね
【要約】      （修正有）【課題】固形物繰出容器の輸送中もしくは保管中に容器本体と袴部材の両方に他の物体が接触し、容器本体と該袴部材とが相対的に回動せしめられ、不用意に固形物保持体が移動し、固形物保持体に保持された保持体が容器本体から突出してしまうことを防ぐ。【解決手段】容器１もしくは袴部材３に可動する袴部材３の回転阻止部材２、容器１もしくは袴部材３に溝７が設けられ、前記袴部材３の回転阻止部材２を前記溝７に勘合させることによって袴部材３の回転を阻止する。【選択図】図１【図１】
0005120741.tif 000002
【図２】
0005120741.tif 000003
【図３】
0005120741.tif 000004
【図４】
0005120741.tif 000005
【図５】
0005120741.tif 000006
【図６】
0005120741.tif 000007
【図７】
0005120741.tif 000008
【図８】
0005120741.tif 000009